(57)【要約】【課題】設備コストを低減し、消費電力を少なくしながら、攪拌槽の濁水を効率よく攪拌して、添加する凝集沈殿剤でもって濁成分を速やかに効率よく凝集・沈殿して分離する。【解決手段】濁水の処理装置は、濁水が供給される攪拌槽１と、攪拌槽１に凝集沈殿剤を供給する薬剤供給器２と、凝集沈殿剤が供給される濁水を攪拌する強制攪拌機３と、凝集された濁成分を液体から分離する濁分離槽４とを備えている。強制攪拌機３はエアーリフトポンプ３０で、攪拌槽１に上下に延びるように配設されて、攪拌槽１の底部に吸入口３３を上部に吐出口３４を開口している上昇管３１と、この上昇管３１に無数の気泡状の空気を供給する空気ポンプ３２とを備えている。処理装置は、空気ポンプ３２から上昇管３１に供給される無数の気泡でもって、上昇管３１内の濁水を上昇させて攪拌槽１の濁水を強制的に攪拌して、凝集沈殿剤でもって凝集して濁分離槽４に供給している。【選択図】図１
2010207670.tif 000002
【特許請求の範囲】
【請求項１】
濁水が供給される攪拌槽(1)と、この攪拌槽(1)に凝集沈殿剤を供給する薬剤供給器(2)と、この薬剤供給器(2)で凝集沈殿剤が供給される濁水を攪拌して凝集沈殿剤でもって濁水の濁成分を凝集させる強制攪拌機(3)と、この強制攪拌機(3)で攪拌されて濁成分の凝集された濁水が供給されて凝集された濁成分を液体から分離する濁分離槽(4)とを備える濁水の処理装置であって、
前記強制攪拌機(3)がエアーリフトポンプ(30)で、このエアーリフトポンプ(30)が、上下に延びるように配設されて攪拌槽(1)の底部に吸入口(33)を上部に吐出口(34)を開口している上昇管(31)と、この上昇管(31)に無数の気泡状の空気を供給して上昇管(31)内の濁水の実質比重を小さくして上昇させる空気ポンプ(32)とを備えており、
前記空気ポンプ(32)から前記上昇管(31)に供給される無数の気泡でもって、前記上昇管(31)内の濁水を上昇させて攪拌槽(1)の濁水を強制的に攪拌して凝集沈殿剤でもって凝集して前記濁分離槽(4)に供給するようにしてなる濁水の処理装置。
【請求項２】
前記薬剤供給器(2)が、前記エアーリフトポンプ(30)の上昇管(31)に液状の凝集沈殿剤を供給する薬液ポンプ(22)を備えており、この薬液ポンプ(22)でもって、上昇管(31)に供給される凝集沈殿剤が、上昇管(31)内を上昇して濁水に強制的に攪拌されるようにしてなる請求項１に記載される濁水の処理装置。
【請求項３】
前記薬剤供給器(2)が、前記空気ポンプ(32)を前記上昇管(31)に連結している空気配管(35)に液状の凝集沈殿剤を供給する薬液ポンプ(22)を備えており、この薬液ポンプ(22)でもって、空気配管(35)を介して上昇管(31)に供給される凝集沈殿剤が、上昇管(31)内を上昇して濁水に強制的に攪拌されるようにしてなる請求項１に記載される濁水の処理装置。
【請求項４】
前記薬剤供給器(2)が、前記エアーリフトポンプ(30)の上昇管(31)に粉末状の凝集沈殿剤を供給する粉末供給機(25)を備えており、この粉末供給機(25)でもって、上昇管(31)に供給される凝集沈殿剤が、上昇管(31)内を上昇して濁水に強制的に攪拌されるようにしてなる請求項１に記載される濁水の処理装置。
【請求項５】
前記薬剤供給器(2)が、前記空気ポンプ(32)を前記上昇管(31)に連結している空気配管(35)に粉末状の凝集沈殿剤を供給する粉末供給機(25)を備えており、この粉末供給機(25)でもって、空気配管(35)を介して上昇管(31)に供給される凝集沈殿剤が、上昇管(31)内を上昇して濁水に強制的に攪拌されるようにしてなる請求項１に記載される濁水の処理装置。
【請求項６】
前記上昇管(31)の上端が上下方向から水平方向に湾曲または折曲されて、先端に吐出口(34)を開口している請求項１に記載される濁水の処理装置。
【請求項７】
前記薬剤供給器(2)が供給する凝集沈殿剤が、ベントナイトと、硫酸アルミニウムとカチオン澱粉アクリルアミド重合物の混合物と、チオ硫酸ナトリウムである請求項１に記載される濁水の処理装置。
【請求項８】
前記薬剤供給器(2)が、濁水に、５ｐｐｍ〜１０００ｐｐｍの濃度にベントナイトを供給する請求項７に記載される濁水の処理装置。
【請求項９】
前記薬剤供給器(2)が、濁水に、５ｐｐｍ〜１０００ｐｐｍの濃度に硫酸アルミニウムとカチオン澱粉アクリルアミド重合物の混合物を供給する請求項７に記載される濁水の処理装置。
【請求項１０】
前記薬剤供給器(2)が、濁水に、２ｐｐｍ〜２５０ｐｐｍの濃度にチオ硫酸ナトリウム水溶液を供給する請求項７に記載される濁水の処理装置。
【請求項１１】
前記濁分離槽(4)が、前記攪拌槽(1)で凝集沈殿剤の供給された濁水が供給される沈殿槽(5)と、この沈殿槽(5)の排水が流入されて濁成分を分離する分離槽(6)とを備え、
前記沈殿槽(5)は流入される排水を透過させる多孔板からなる整流板(41)を備えており、この整流板(41)は、沈殿槽(5)を流入側と排水側に分離するように垂直姿勢に配設されて、攪拌槽(1)から流入される排水を整流板(41)に透過させて排水側に移送する請求項１に記載される濁水の処理装置。
【発明の詳細な説明】
【技術分野】
【０００１】
本発明は、泥成分を含む濁水から泥成分を分離して綺麗な水に処理する装置に関し、とくに、土木作業において発生する濁水から泥成分を分離して清澄な水として排水するのに使用される濁水の処理装置に関する。
【背景技術】
【０００２】
土木作業で発生する濁水は、泥成分を含む状態で排水できない。濁水は、泥成分を分離して清澄な水として排水する必要がある。濁水に、ベントナイト等の凝集沈殿剤を添加し、凝集沈殿剤でもって泥成分を凝集させて沈殿しやすいフロックとし、フロックを沈殿させて分離して綺麗な水に処理する処理装置は開発されている。（特許文献１参照）
【先行技術文献】
【特許文献】
【０００３】
【特許文献１】特開２００２−３３６６０２号公報
【特許文献２】特開２００７−６９１０４号公報
【発明の概要】
【発明が解決しようとする課題】
【０００４】
以上の処理装置は、凝集沈殿剤で濁水を速やかにフロックに凝集するために、凝集沈殿剤を添加している濁水を攪拌機や攪拌ポンプで攪拌している。攪拌機は、モータで回転羽根を回転して濁水を攪拌する。攪拌ポンプは、渦巻きポンプの水中ポンプで、濁水を底部から吸入して液面に排水して攪拌する。回転羽根で濁水を攪拌する攪拌機は、モータの消費電力が大きくなる欠点がある。攪拌機はモータを液面の上方に配置し、このモータに連結している回転軸を攪拌槽の内部に垂直姿勢に配置して回転羽根を固定している。この回転羽根は、濁水を水平方向に回転して攪拌するので、攪拌槽の濁水を、底部と液面部とに効果的に攪拌できない欠点もある。攪拌ポンプは、攪拌槽の底部から濁水を吸入して上部に排水することで、攪拌槽の底部と液面部に濁水を攪拌できるが、攪拌槽全体の濁水を効果的に攪拌するために、水中ポンプの流量を多くすると、水中ポンプの消費電力が大きくなって、設備コストとランニングコストが高くなる欠点がある。また、攪拌機や攪拌ポンプは、回転羽根やインペラやケーシングが摩耗して寿命が短い欠点もある。それは、濁水に含まれる泥成分が研磨材に使用されるほど硬い無機粉末のシリカやアルミナを主成分とするからである。研磨剤に使用されるシリカやアルミナを含む泥成分が、回転羽根やインペラやケーシングの内面に衝突して表面を擦ると、摩耗が甚だしくなる。
【０００５】
さらに、攪拌機の回転羽根は、凝集沈殿剤と濁水とを単に物理的に回転して攪拌することから、凝集沈殿剤でもって泥成分を速やかに効率よくフロックとして凝集させるのが難しい欠点もある。濁水を速やかに凝集してフロックとするには、多量の凝集沈殿剤を添加することから、ランニングコストが高くなる欠点がある。ランニングコストを低減するために、凝集沈殿剤の添加量を少なくすると、汚泥を速やかに凝集・沈殿できなくなるので、現実にはこれらの凝集沈殿剤の添加量を少なくできない。
【０００６】
特許文献２の処理装置は、攪拌ポンプの排出側にエジェクター機構を設けて無数の気泡を噴射するので、回転羽根に比較して濁水と凝集沈殿剤とを効果的に攪拌できる。しかしながら、この構造は水中ポンプとコンプレッサを必要とし、さらにエジェクター機構を設けることから、設備コストとランニングコストが極めて高くなる欠点がある。
【０００７】
本発明は、以上の欠点を解決することを目的に開発されたものである。本発明の重要な目的は、設備コストを低減すると共に、消費電力を少なくしながら、攪拌槽の濁水を効率よく攪拌して、添加する凝集沈殿剤でもって濁成分を速やかにフロックに凝集できる濁水の処理装置を提供することにある。
また、本発明の他の大切な目的は、凝集沈殿剤の添加量を少なくしながら、添加する凝集沈殿剤でもって濁成分を効率よく速やかにフロックに凝集して能率よく分離できる濁水の処理装置を提供することにある。
【課題を解決するための手段及び発明の効果】
【０００８】
本発明の濁水の処理装置は、濁水が供給される攪拌槽１と、この攪拌槽１に凝集沈殿剤を供給する薬剤供給器２と、この薬剤供給器２で凝集沈殿剤が供給される濁水を攪拌して凝集沈殿剤でもって濁水の濁成分を凝集させる強制攪拌機３と、この強制攪拌機３で攪拌されて濁成分の凝集された濁水が供給されて凝集された濁成分を液体から分離する濁分離槽４とを備えている。強制攪拌機３はエアーリフトポンプ３０で、このエアーリフトポンプ３０は、攪拌槽１に上下に延びるように配設されて、攪拌槽１の底部に吸入口３３を上部に吐出口３４を開口している上昇管３１と、この上昇管３１に無数の気泡状の空気を供給して上昇管３１内の濁水の実質比重を小さくして上昇させる空気ポンプ３２とを備えている。処理装置は、空気ポンプ３２から上昇管３１に供給される無数の気泡でもって、上昇管３１内の濁水を上昇させて攪拌槽１の濁水を強制的に攪拌して、凝集沈殿剤でもって凝集して濁分離槽４に供給している。
【０００９】
以上の濁水の処理装置は、設備コストを低減すると共に、消費電力を少なくしながらエアーリフトポンプで、攪拌槽の濁水を効率よく攪拌して、添加する凝集沈殿剤でもって濁成分を速やかに凝集できる特徴がある。それは、以上の処理装置が、強制攪拌機をエアーリフトポンプとしており、このエアーリフトポンプが、空気ポンプから上昇管に供給される無数の気泡でもって、上昇管内の濁水を上昇させて攪拌槽の濁水を強制的に攪拌しているからである。エアーリフトポンプである強制攪拌機は、水中モータやスクリューなどの複雑な部品を必要とせず、単なる筒体である上昇管を使用することから、極めて簡単な構造として設備コストを低減できる。しかも、エアーリフトポンプである強制攪拌機は、上昇管に空気を供給する空気ポンプでもって、攪拌槽の液体を効率よく攪拌できることから、消費電力を少なくして、省エネルギーで経済的に運転できる。ちなみに、本発明者の実験によると、水深を約１メートルとする攪拌槽の濁水を、エアーリフトポンプと水中ポンプとで攪拌したところ、４００Ｗの水中ポンプに匹敵する流量を、わずかに５０Ｗのダイアフラム式ポンプからなる空気ポンプで実現することが可能であった。
【００１０】
とくに、エアーリフトポンプである強制攪拌機は、水中モータやスクリューなどのように、濁水に含まれる濁成分が回転羽根やインペラ等に衝突して表面を擦る摩耗による故障等が発生することがない。このことからも、濁水を強制攪拌するエアーリフトポンプは、濁成分を含む濁水を攪拌するこの種の処理装置の強制攪拌機として極めて有効である。したがって、本発明の処理装置は、メンテナンスを簡単にしながら、長期間にわたって安定して使用できる特徴が実現できる。
【００１１】
さらに、本発明の処理装置は、エアーリフトポンプである強制攪拌機でもって、攪拌槽の濁水を効率よく強制攪拌できるので、凝集沈殿剤の添加量を少なくしながら、添加する凝集沈殿剤でもって、濁成分を効率よく速やかにフロックに凝集して能率よく分離できる特徴も実現できる。
【００１２】
本発明の濁水の処理装置は、薬剤供給器２が、エアーリフトポンプ３０の上昇管３１に液状の凝集沈殿剤を供給する薬液ポンプ２２を備えて、この薬液ポンプ２２で上昇管３１に供給される凝集沈殿剤を、上昇管３１内を上昇させて濁水に強制的に攪拌することができる。
以上の処理装置は、薬剤供給器から供給される液状の凝集沈殿剤を薬液ポンプで上昇管に供給して、上昇管内を上昇する濁水に混合して強制攪拌するので、液状の凝集沈殿剤を効率よく濁水に混合させて濁成分を速やかに凝集できる特徴がある。
【００１３】
本発明の濁水の処理装置は、薬剤供給器２が、空気ポンプ３２を上昇管３１に連結している空気配管３５に液状の凝集沈殿剤を供給する薬液ポンプ２２を備えて、この薬液ポンプ２２でもって、空気配管３５を介して上昇管３１に供給される凝集沈殿剤を、上昇管３１内を上昇させて濁水に強制的に攪拌することができる。
以上の処理装置は、薬剤供給器が、液状の凝集沈殿剤を、薬液ポンプでもって、空気ポンプを上昇管に連結している空気配管に供給して、上昇管内を上昇する濁水に混合して強制攪拌するので、液状の凝集沈殿剤を効率よく濁水に混合させて濁成分を速やかに凝集できる特徴がある。
【００１４】
本発明の濁水の処理装置は、薬剤供給器２が、エアーリフトポンプ３０の上昇管３１に粉末状の凝集沈殿剤を供給する粉末供給機２５を備えて、この粉末供給機２５で上昇管３１に供給される凝集沈殿剤を、上昇管３１内を上昇させて濁水に強制的に攪拌することができる。
以上の処理装置は、薬剤供給器から供給される粉末状の凝集沈殿剤を粉末供給機で上昇管に供給して、上昇管内を上昇する濁水に混合して強制攪拌するので、粉末状の凝集沈殿剤を効率よく濁水に混合させて濁成分を速やかに凝集できる特徴がある。
【００１５】
本発明の濁水の処理装置は、薬剤供給器２が、空気ポンプ３２を上昇管３１に連結している空気配管３５に粉末状の凝集沈殿剤を供給する粉末供給機２５を備えて、この粉末供給機２５で空気配管３５を介して上昇管３１に供給される凝集沈殿剤を、上昇管３１内を上昇させて濁水に強制的に攪拌することができる。
以上の処理装置は、薬剤供給器が、粉末状の凝集沈殿剤を、粉末供給機でもって、空気ポンプを上昇管に供給している空気配管に供給して、上昇管内を上昇する濁水に混合して強制攪拌するので、粉末状の凝集沈殿剤を効率よく濁水に混合させて濁成分を速やかに凝集できる特徴がある。
【００１６】
本発明の濁水の処理装置は、上昇管３１の上端を上下方向から水平方向に湾曲または折曲して、先端に吐出口３４を開口することができる。
以上の濁水の処理装置は、濁水を移送する上昇管が、攪拌槽の底部から吸入した濁水を、攪拌槽の上部において水平方向に排出するので、攪拌槽の濁水を内部で対流させるように流動させて強制的に攪拌できる。
【００１７】
本発明の濁水の処理装置は、薬剤供給器２が供給する凝集沈殿剤を、ベントナイトと、硫酸アルミニウムとカチオン澱粉アクリルアミド重合物の混合物と、チオ硫酸ナトリウムとすることができる。
【００１８】
本発明の濁水の処理装置は、薬剤供給器２が、濁水に、５ｐｐｍ〜１０００ｐｐｍの濃度にベントナイトを供給することができる。
【００１９】
本発明の濁水の処理装置は、薬剤供給器２が、濁水に、５ｐｐｍ〜１０００ｐｐｍの濃度に硫酸アルミニウムとカチオン澱粉アクリルアミド重合物の混合物を供給することができる。
【００２０】
本発明の濁水の処理装置は、薬剤供給器２が、濁水に、２ｐｐｍ〜２５０ｐｐｍのチオ硫酸ナトリウム水溶液を供給することができる。
【００２１】
本発明の濁水の処理装置は、濁分離槽４が、攪拌槽１で凝集沈殿剤の供給された濁水が供給される沈殿槽５と、この沈殿槽５の排水が流入されて濁成分を分離する分離槽６とを備えることができる。この処理装置は、沈殿槽５が、流入される濁水を透過させる多孔板からなる整流板４１を備えて、この整流板４１は、沈殿槽５を流入側と排水側に分離するように垂直姿勢に配設されて、攪拌槽１から流入される濁水を整流板４１に透過させて排水側に移送することができる。
以上の濁水の処理装置は、攪拌槽で凝集沈殿剤が混合された濁水を、濁分離槽の沈殿槽で整流板に透過させて排水側に移送して凝集・沈殿させて、分離槽で濁成分を分離するので、凝集沈殿剤で凝集・沈殿された濁成分を速やかに効率よく分離できる。
【図面の簡単な説明】
【００２２】
【図１】本発明の一実施例にかかる濁水の処理装置の概略構成図である。
【図２】本発明の他の実施例にかかる濁水の処理装置の概略構成図である。
【図３】本発明の他の実施例にかかる濁水の処理装置の概略構成図である。
【図４】攪拌槽の仕切板の一例を示す斜視図である。
【図５】図１に示す濁水の処理装置の強制攪拌機を示す断面図である。
【図６】強制攪拌機の他の一例を示す断面図である。
【図７】エアーリフトポンプに凝集沈殿剤を供給する薬剤供給器の一例を示す断面図である。
【図８】エアーリフトポンプに凝集沈殿剤を供給する薬剤供給器の他の一例を示す断面図である。
【図９】エアーリフトポンプに凝集沈殿剤を供給する薬剤供給器の他の一例を示す断面図である。
【発明を実施するための形態】
【００２３】
以下、本発明の実施例を図面に基づいて説明する。ただし、以下に示す実施例は、本発明の技術思想を具体化するための濁水の処理装置を例示するものであって、本発明は濁水の処理装置を以下のものには特定しない。
【００２４】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２５】
図１ないし図３に示す濁水の処理装置は、濁水が供給される攪拌槽１と、この攪拌槽１に凝集沈殿剤を供給する薬剤供給器２と、この薬剤供給器２で凝集沈殿剤が供給される濁水を攪拌して凝集沈殿剤でもって濁水の濁成分を凝集させる強制攪拌機３と、この強制攪拌機３で攪拌されて濁成分の凝集された濁水が供給されて、凝集された濁成分を液体から分離する濁分離槽４とを備えている。
【００２６】
攪拌槽１は、供給される濁水に含まれる濁成分を凝集沈殿剤で凝集させて排出する。攪拌槽１は、薬剤供給器２から凝集沈殿剤が供給されて濁水に混合されると共に、凝集沈殿剤が混合された濁水を強制的に攪拌して、濁水に含まれる濁成分を凝集沈殿剤で凝集させる。
【００２７】
攪拌槽１は、濁水が供給される供給パイプ１０を流入側に配置している。図に示す供給パイプ１０は、攪拌槽１の流入側の側壁に上下に延長して配置しており、下端に設けた排出口１１を攪拌槽１の底部に配置している。この供給パイプ１０は、供給部１２から流入される濁水を攪拌槽１の底部に配置した排出口１１から排出して攪拌槽１の底部に供給する。
【００２８】
図１の攪拌槽１は、内部を仕切板１５で第１室１Ａと第２室１Ｂと第３室１Ｂとに分割している。仕切板１５は、攪拌槽１の底面から上部に延長して固定している。攪拌槽１は、仕切板１５をオーバーフローさせて濁水を次の室に移送する。濁水は、第１室１Ａをオーバーフローして第２室１Ｂに、さらに、第２室１Ｂをオーバーフローして第３室１Ｂに流入される。さらに、濁水は、第３室１Ｂからオーバーフローして濁分離槽４に流入される。ただ、各々の室で攪拌された濁水は、ポンプ等で次の室や濁分離槽に供給することもできる。攪拌槽１の第１室１Ａ、第２室１Ｂ、及び第３室１Ｂの内容積は、たとえば１０トンの濁水を蓄えられる容量に設計される。この攪拌槽１は、１時間に、１００トン〜２００トンの濁水を処理できる。濁水の処理量が小さい処理装置は、攪拌槽１の容積を小さくできる。攪拌槽１の内容積は、１時間に処理する濁水の容量の１／１０〜１／２０とする。
【００２９】
以上のように、攪拌槽１の内部を仕切板１５で、第１室１Ａと第２室１Ｂと第３室１Ｂとに分割する処理装置は、各々の攪拌槽１に強制攪拌機３を配置して、各室において供給される濁水を強制的に攪拌すると共に、各々の攪拌槽１に異なる種類の凝集沈殿剤を供給することができる。ただ、攪拌槽１は、図２に示すように、内部を仕切板１５で第１室１Ａと第２室１Ｂとに分割することも、また、図３に示すように、仕切板で分割することなくひとつの攪拌槽１とすることもできる。
【００３０】
薬剤供給器２は、攪拌槽１に供給される濁水に凝集沈殿剤を供給する。薬剤供給器２は、液状の凝集沈殿剤を攪拌槽１に供給し、あるいは、粉末状の凝集沈殿剤を攪拌槽１に供給する。液状の凝集沈殿剤は、粉末状あるいは固形状の凝集沈殿剤を水等の液体に溶解したもの、あるいは粉末状の凝集沈殿剤を水などの液体に懸濁したものとすることもできる。液状の凝集沈殿剤を攪拌槽１に供給する薬剤供給器２は、図１ないし図３に示すように、液状の凝集沈殿剤を貯溜する薬液タンク２１と、この薬液タンク２１に貯溜される液状の凝集沈殿剤を攪拌槽１に供給する薬液ポンプ２２と、薬液ポンプ２２で供給される凝集沈殿剤の流量を検出する流量計２３を備える。これらの薬剤供給器２は、流量計２３で凝集沈殿剤の流量を検出し、供給される凝集沈殿剤が所定の流量となるように薬液ポンプ２２の回転数をコントロールする。
【００３１】
また、粉末状の凝集沈殿剤を攪拌槽１に供給する薬剤供給器２は、粉末供給機２５とすることができる。図２に示す粉末供給機２５は、攪拌槽１に濁水を供給する供給パイプ１０に粉末状の凝集沈殿剤を供給する。図の供給パイプ１０は、垂直管１０Ａの途中に水平管１０Ｂを連結してなるＴ字状で、水平管１０Ｂを濁水の供給部１２とすると共に、垂直管１０Ａの下端を排液中に配置して排出口１１とし、垂直管１０Ａの上端に粉末供給機２５を設けている。図の粉末供給機２５は、粉末状の凝集沈殿剤を貯溜するホッパー２６と、このホッパー２６から供給される凝集沈殿剤の供給量を制御するロータリーフィーダー２７とを備える。この粉末供給機２５も、濁水に供給する凝集沈殿剤が所定量となるようにロータリーフィーダー２７の回転数をコントロールする。このように、供給パイプ１０に粉末状の凝集沈殿剤を供給する構造は、供給パイプ１０に供給される濁水の水流により、粉末状の凝集沈殿剤を確実に濁水に混合できる特長がある。
【００３２】
以上の薬剤供給器２は、供給する凝集沈殿剤が、攪拌槽１に供給される濁水に対して所定の濃度となるように供給量を制御する。図１ないし図３の処理装置は、濁水の流量を測定するために、図４に示すように、仕切板１５に流量計測部１６を設けている。図に示す流量計測部１６は、仕切板１５の上端部に設けたＶ溝１７で、このＶ溝１７をオーバーフローして通過する水面の高さから濁水の流量を測定する。薬剤供給器２は、流量計測部１６で測定された濁水の流量に基づいて、供給する凝集沈殿剤が所定の濃度となるように、凝集沈殿剤の供給量をコントロールする。ただ、攪拌槽１に供給される濁水の流量は、流量計で測定することもできる。図２に示す処理装置は、攪拌槽１の流入側に設けた供給パイプ１０に、供給される濁水の流量を測定する流量計１３を設けている。この処理装置は、流量計１３で測定された濁水の流量を、薬剤供給器２に入力して、この流量に基づいて凝集沈殿剤の供給量をコントロールする。
【００３３】
薬剤供給器２が供給する凝集沈殿剤には、ベントナイトと、硫酸アルミニウムとカチオン澱粉アクリルアミド重合物の混合物と、チオ硫酸ナトリウムを使用する。ただし、凝集沈殿剤には、無機系あるいは有機系の凝集沈殿剤であって、泥成分を含む濁水を凝集沈殿できる全てのものが使用できる。これらの凝集沈殿剤は、供給される濁水に対して所定の濃度となるように供給される。したがって、薬液供給器２は、所定の濃度となるように凝集沈殿剤を供給する。複数の凝集沈殿剤を供給する薬液供給器２は、各々の薬剤供給器２から所定の割合で凝集沈殿剤を供給する。薬剤供給器２は、供給される濁水に対して凝集沈殿剤を所定の濃度となるように供給する。図１に示すように、第１ないし第３の薬剤供給器２で異なる凝集沈殿剤を供給する挿入は、各々の薬液供給器２が所定の割合で凝集沈殿剤を供給する。図に示す薬剤供給器２は、濁水にベントナイトを供給する第１の薬剤供給器２Ａと、硫酸アルミニウムとカチオン澱粉アクリルアミド重合物の混合物を供給する第２の薬剤供給器２Ｂと、チオ硫酸ナトリウムを供給する第３の薬剤供給器２Ｃとを備える。
【００３４】
第１の薬剤供給器２Ａは、ベントナイトを攪拌槽１に供給する。第１の薬剤供給器２Ａは、攪拌槽１の濁水に含まれるベントナイト濃度が５００ｐｐｍとなるように、ベントナイトの供給量をコントロールする。ただし、ベントナイトの供給量は、濁成分の含有量を考慮して最適値に設定される。濁成分の含有量が多くなると、ベントナイトの供給量を多くして、濁水におけるベントナイト濃度を高くする。したがって、攪拌槽１に供給されるベントナイト濃度は、５ｐｐｍ〜１００００ｐｐｍの範囲に設定される。
【００３５】
第２の薬剤供給器２Ｂは、硫酸アルミニウムとカチオン澱粉アクリルアミド重合物の混合物を攪拌槽１に供給する。第２の薬剤供給器２Ｂは、攪拌槽１の濁水に含まれる硫酸アルミニウムとカチオン澱粉アクリルアミド重合物の混合物濃度が５００ｐｐｍとなるように、硫酸アルミニウムとカチオン澱粉アクリルアミド重合物の混合物の供給量をコントロールする。硫酸アルミニウムとカチオン澱粉アクリルアミド重合物の混合物の供給量も、濁成分の含有量を考慮して最適値に設定される。濁成分の含有量が多くなると、硫酸アルミニウムとカチオン澱粉アクリルアミド重合物の混合物の供給量を多くして、濁水における硫酸アルミニウムとカチオン澱粉アクリルアミド重合物の混合物濃度を高くする。したがって、攪拌槽１に供給される硫酸アルミニウムとカチオン澱粉アクリルアミド重合物の混合物濃度は、５ｐｐｍ〜１００００ｐｐｍの範囲に設定される。
【００３６】
第３の薬剤供給器２Ｃは、２５％チオ硫酸ナトリウム水溶液を攪拌槽１に供給する。第３の薬剤供給器２Ｃは、攪拌槽１の濁水に含まれるチオ硫酸ナトリウム濃度が１２５ｐｐｍとなるように、チオ硫酸ナトリウム水溶液の供給量をコントロールする。また、チオ硫酸ナトリウム水溶液の供給量も、濁成分の含有量を考慮して最適値に設定される。濁成分の含有量が多くなると、チオ硫酸ナトリウムの供給量を多くして、濁水におけるチオ硫酸ナトリウム濃度を高くする。したがって、攪拌槽１に供給されるチオ硫酸ナトリウムの供給量は、チオ硫酸ナトリウム濃度が、２ｐｐｍ〜２５０ｐｐｍの範囲に設定される。
【００３７】
図１の処理装置は、攪拌槽１の第１室１Ａの濁水に液状のベントナイトを添加して攪拌し、攪拌槽１の第２室１Ｂの濁水に硫酸アルミニウムとカチオン澱粉アクリルアミド重合物の混合物を添加して攪拌し、攪拌室１の第３室１Ｃの濁水にチオ硫酸ナトリウム水溶液を添加して攪拌する。すなわち、この攪拌槽１の第２室１Ｂは、第１室１Ａで第１の薬剤供給器２Ａからベントナイトを添加して攪拌された濁水が流入されて、この濁水に第２の薬剤供給器２Ｂから硫酸アルミニウムとカチオン澱粉アクリルアミド重合物の混合物を添加して攪拌し、さらに、第３室１Ｃは、ベントナイトと、硫酸アルミニウムとカチオン澱粉アクリルアミド重合物の混合物の添加された濁水が流入されて、この濁水に第３の薬剤供給器２Ｃからチオ硫酸ナトリウム水溶液を添加して攪拌する。
【００３８】
図２の処理装置は、攪拌槽１の第１室１Ａに供給される濁水に、粉末状のベントナイトを添加して供給パイプ１０内で攪拌し、攪拌槽１の第２室１Ｂの濁水に硫酸アルミニウムとカチオン澱粉アクリルアミド重合物の混合物とチオ硫酸ナトリウム水溶液とを添加して攪拌する。すなわち、この攪拌槽１の第１室１Ａは、第１の薬剤供給器２Ａでベントナイトを添加して攪拌された濁水が供給パイプ１０から流入されて、第２室１Ｂは、ベントナイトを添加して攪拌された濁水が流入されて、第２の薬剤供給器２Ｂから硫酸アルミニウムとカチオン澱粉アクリルアミド重合物の混合物を、第３の薬剤供給器２Ｃからチオ硫酸ナトリウム水溶液を添加して攪拌する。第２の薬剤供給器２Ｂから供給される硫酸アルミニウムとカチオン澱粉アクリルアミド重合物の混合物と、第３の薬剤供給器２Ｃから供給されるチオ硫酸ナトリウム水溶液は、供給ホース２４内で混合して、攪拌槽１に供給している。
【００３９】
図３の処理装置は、攪拌槽１に供給される濁水に、液状のベントナイトと、硫酸アルミニウムとカチオン澱粉アクリルアミド重合物の混合物と、チオ硫酸ナトリウム水溶液とを添加して攪拌する。すなわち、この攪拌槽１は、供給される濁水に、第１の薬剤供給器２Ａでベントナイトを添加し、第２の薬剤供給器２Ｂで硫酸アルミニウムとカチオン澱粉アクリルアミド重合物の混合物を添加し、第３の薬剤供給器２Ｃでチオ硫酸ナトリウム水溶液を添加して攪拌する。各々の薬剤供給器２から供給される液状の凝集沈殿剤は、供給ホース２４内で混合して、攪拌槽１に供給している。
【００４０】
図１ないし図３の処理装置は、複数の薬液供給器を備えているが、ひとつの凝集沈殿剤を濁水に供給する装置にあっては、液体又は粉末状の凝集沈殿剤を供給するひとつの薬液供給器を備える。この処理装置は、液体の凝集沈殿剤をポンプで吸入して上昇管や供給パイプや撹拌槽に供給し、あるいは粉末状の凝集沈殿剤を、図２に示す粉末供給機でもって上昇管や供給パイプや撹拌槽に供給する。
【００４１】
以上のように、薬剤供給器２から供給される凝集沈殿剤が添加された濁水は、攪拌槽１において攪拌される。攪拌槽１は、凝集沈殿剤の供給された濁水を強制的に攪拌する強制攪拌機３を配置している。図の強制攪拌機３はエアーリフトポンプ３０である。エアーリフトポンプ３０である強制攪拌機３は、攪拌槽１に上下に延びるように配設している上昇管３１と、この上昇管３１に無数の気泡状の空気を供給して、上昇管３１内の濁水の実質比重を小さくして上昇させる空気ポンプ３２とを備えている。
【００４２】
上昇管３１は、図５に示すように、攪拌槽１の底部から濁水の液面に延びるように配設しており、攪拌槽１の底部に吸入口３３を、上部に吐出口３４を開口している。図５の上昇管３１は、連結アーム３６を介して、攪拌槽１の側壁に垂直な姿勢で固定している。上昇管３１は、垂直姿勢として最も効率よく濁水を上昇して攪拌できる。ただ、上昇管は傾斜して配置して濁水を上昇することもできるので、必ずしも垂直姿勢に配置する必要はない。
【００４３】
図５の上昇管３１は、下端部を、上下方向から水平方向に湾曲する形状として、先端に吸入口３３を開口している。この上昇管３１は、吸入口３３から吸入する濁水を、水平方向から垂直方向に向けてスムーズに上昇させる。さらに、図５の上昇管３１は、上端部を、上下方向から水平方向に湾曲する形状として、先端に吐出口３４を開口している。この上昇管３１は、上昇する濁水を、垂直方向から水平方向に向けて、吐出口３４からスムーズに排出する。このため、濁水を水平方向に効率よく排出できる。この上昇管３１は、下端部と上端部を、濁水をスムーズに流すように、所定の曲率半径で湾曲する形状としている。図の上昇管３１は、下端部や上端部を、ほぼ９０度に湾曲する形状としているが、上昇管は、上下の端部を必ずしも９０度に湾曲する必要はなく、９０度よりも小さい角度に湾曲または折曲し、あるいは９０度よりも大きな角度に湾曲または折曲することができる。ただ、上昇管は、下端部や上端部を折曲することも、あるいは湾曲または折曲することなく上下方向に開口することもできる。
【００４４】
さらに、図５の上昇管３１は、攪拌槽１の内部の濁水をスムーズに流動できるように、下端部と上端部を同じ方向に湾曲して、吸入口３３と吐出口３４とを同じ方向を向くように開口している。図５の上昇管３は、攪拌槽１の片側の側壁に固定すると共に、この側壁から反対側の側壁に向かって吸入口３３と吐出口３４を開口している。このエアーリフトポンプ３０は、底部から吸入する濁水を上昇管３１の片側に向かって排出して、攪拌槽１の内部の濁水を効率よく攪拌する。とくに、この上昇管３１は、図５に示すように、吸入口３３で水平方向から吸入した濁水を垂直方向に向けて上昇させて、上昇する濁水を、垂直方向から水平方向に向けて吐出口３４からスムーズに排出する。このため、攪拌槽１の濁水を、水平方向から吸入すると共に、水平方向に排出して、図５の矢印で示すように、効率よく流動させて攪拌できる。
【００４５】
図６に示す上昇管３１は、互いに異なる方向、図にあっては、互いに反対方向に向かって液体の濁水を排出する一対の吐出口３４を上端に設けている。この上昇管３１は、各々の吐出口３４を、対向する両側に向かって、突出する形状としている。この上昇管３１は、吸入口３３から吸入して上昇する濁水を、互いに反対方向に向けて水平方向に排出して攪拌する。さらに、図６の上昇管３１は、底プレート３７に下部を連結して、垂直姿勢に自立できる構造としている。底プレート３７は金属板で、上昇管３１を攪拌槽１の内部で自立できる大きさと重さとしている。このエアーリフトポンプ３０は、攪拌槽１の底に、簡単に設置できる。上昇管３１は、連結アーム３８を介して底プレート３７の上面から離して配置しており、下端を開口して吸入口３３としている。このエアーリフトポンプは、図６に示すように、攪拌槽１の中央部に設置されて、濁水を矢印で示すように循環して効率よく攪拌できる。
【００４６】
上昇管３１は、底部に、空気配管３５を介して空気ポンプ３２を連結している。空気ポンプ３２から供給される加圧された空気は、空気配管３５を介して上昇管３１に供給される。上昇管３１に供給される空気は、無数の気泡となって上昇管３１内に噴射されて、上昇管３１内の液体の比重を小さくして上昇させる。空気ポンプ３２は、上昇管３１の底部に加圧空気を供給できるポンプで、ダイアフラム式ポンプが使用される。空気ポンプ３２は、上昇管３１の底部の高い圧力に空気を加圧して供給する。水深が１ｍで水圧は１０ｋＰａとなるので、最大水深を１ｍとする攪拌槽１は、１０ｋＰａよりも高圧の空気を上昇管３１に供給して、上昇管３１に液体を上昇できる。たとえば、消費電力を５０Ｗとするダイアフラム式ポンプは、吐出圧力を１１ｋＰａ、空気の流量を約５０リットル／分とするので、このダイアフラム式ポンプを使用して、最大水深を１ｍとする攪拌槽１の濁水を効率よく攪拌できる。ただ、空気ポンプ３２には、ブロアやコンプレッサを使用することもできる。ブロアは、供給する空気の流量を多くできる特徴がある。また、コンプレッサは、吐出圧力を高くできるので、最大水深が深い攪拌槽に好適に使用できる。
【００４７】
空気ポンプ３２は、攪拌槽１の水深が深くなるにしたがって、吐出圧力を高くして、上昇管３１に空気を気泡の状態で噴射できる。したがって、空気ポンプ３２の吐出圧力は、攪拌槽１の水深により最適値に設定される。また、エアーリフトポンプ３０は、空気ポンプ３２の吐出流量を多くし、また、上昇管３１の内径を大きくして、上昇する液体の流量を大きくできる。したがって、上昇管３１の内径と空気ポンプ３２の吐出流量と吐出圧力は、用途に最適なように設定される。
【００４８】
以上のエアーリフトポンプ３０が濁水を吸入して排出する状態を図７に示す。このエアーリフトポンプ３０は、攪拌槽１に蓄えられる濁水を上昇管３１の下端の吸入口３３から吸入し、これを上端の吐出口３４から排出して攪拌槽１の濁水を強制的に攪拌する。吸入口３３から吸入される濁水は、上昇管３１の内部で無数の気泡によって強制的に攪拌されながら上昇し、上端の吐出口３４から吐出される。したがって、このエアーリフトポンプ３０は、上昇管３１に流入される濁水を、無数の気泡によって強制的に攪拌しながら上昇させると共に、吐出口３４から吐出される濁水を、攪拌槽１の内部で流動させて強制的に攪拌する。
【００４９】
エアーリフトポンプ３０である強制攪拌機３は、薬剤供給器２から供給される凝集沈殿剤を上昇管３１に供給して濁水に混合することができる。図７に示す処理装置は、上昇管３１に薬剤供給器２を連結して、液状の凝集沈殿剤を上昇管３１の底部に供給している。薬剤供給器２から上昇管３１に供給される液状の凝集沈殿剤は、上昇管３１を上昇する過程で濁水と強制的に攪拌されて効率よく混合される。この薬剤供給器２は、上昇管３１の底部に上向きにノズル２９を設けて、このノズル２９を薬液ポンプ２２に連結している。この薬剤供給器２は、ノズル２９から上向きに液状の凝集沈殿剤を噴射して、上昇管３１で濁水に混合している。
【００５０】
薬剤供給器２は、図８に示すように、空気配管３５の途中に液状の凝集沈殿剤を供給することもできる。この薬剤供給器２は、薬液ポンプ２２に連結している供給ホース２４を空気配管３５の途中に連結して、凝集沈殿剤を空気配管３５に供給する。この薬剤供給器２は、上昇管３１に供給される空気に凝集沈殿剤を添加しているので、空気と凝集沈殿剤とが一緒に上昇管３１に供給され、上昇管３１で凝集沈殿剤が濁水に混合される。
【００５１】
さらに、薬剤供給器２は、図９に示すように、粉末状の凝集沈殿剤を濁水に混合する粉末供給機２５として、この粉末供給機２５を、空気配管３５の途中に連結することもできる。この粉末供給機２５は、粉末状の凝集沈殿剤を貯溜するホッパー２６と、このホッパー２６から供給される凝集沈殿剤の供給量を制御するロータリーフィーダー２７とを備えており、ロータリーフィーダー２７の排出側を供給管２８を介して空気配管３５に連結している。この粉末供給機２５は、空気配管３５を高速流動して圧力が低下する空気のエジェクター作用で粉末状の凝集沈殿剤を吸入し、吸入した粉末状の凝集沈殿剤を、空気を搬送気体として上昇管３１に供給する。この薬剤供給器２は、凝集沈殿剤を強制的に上昇管３１に供給するポンプなどを使用しないで、凝集沈殿剤を液体に混合できる。ただ、粉末供給機は、粉末状の凝集沈殿剤を強制的に上昇管３１に供給して、濁水に混合することもできる。濁水に混合された粉末状の凝集沈殿剤は、濁水に溶解され、あるいは溶解されることなく均一に分散される。
【００５２】
以上の強制攪拌機３は、空気ポンプ３２から上昇管３１に供給される無数の気泡でもって、上昇管３１内の濁水を上昇させて攪拌槽１の濁水を強制的に攪拌する。強制攪拌機３で強制的に攪拌される濁水は、凝集沈殿剤でもって凝集されて、濁分離槽４に供給される。
【００５３】
濁分離槽４は、攪拌槽１で凝集沈殿剤が混合・攪拌された濁水が供給されて、凝集された濁成分を沈殿させる沈殿槽５と、この沈殿槽５の沈殿物が供給されて濁成分を分離する分離槽６とを備えている。
【００５４】
沈殿槽５は、流入される濁水を透過させる多孔板からなる整流板４１を備えている。整流板４１は、沈殿槽５を流入側と排水側に分離するように垂直姿勢に配設されている。整流板４１は、たとえば開口率を５％とする多孔板である。この沈殿槽５は、攪拌槽１からオーバーフローして流入される濁水を整流板４１に透過させて排水側に移送する。図に示す沈殿槽５は、複数の整流板４１を所定の間隔で平行に並べて配設している。この沈殿槽５は、流入側から排水側に移送される濁水を複数の整流板４１に透過させて流速を低下させ、排水側で速やかに凝集して沈殿できる。ただ、整流板は１枚とすることもできる。さらに、沈殿槽５に複数の整流板４１を配設する構造は、濁水の流入側と排水側とでを開口率を調整することもできる。複数の整流板４１は、たとえば、濁水の流入側で開口率を大きくし、排水側で開口率を小さくして、流入側から排水側に移送される濁水の流速を効果的に低下できる。したがって、沈殿槽５は、攪拌槽１から流入する濁水の流量や沈殿槽５の容積等を考慮して、配設される整流板４１の枚数及び間隔や開口率を調整して、移送される濁水を排水側で速やかに凝集して沈殿できる。
【００５５】
沈殿槽５の流入側に供給された濁水は、整流板４１を速やかに透過して、排水側で凝集して沈殿する。凝集・沈殿した濁成分は、沈殿槽５の底部に堆積する。底部に沈殿した濁成分は、移送ポンプ４２で分離槽６に供給される。沈殿槽５の上澄液は、オーバーフローして排水する。
【００５６】
分離槽６は、側面をメッシュ状として、水を排水できる構造としている。分離槽６は、沈殿槽５から供給される沈殿物に含まれる水分を除去して濁成分を分離する。したがって、分離槽６には、水分が分離された濁成分が蓄えられる。
【実施例１】
【００５７】
図１に示す処理装置は、以下の工程で、濁水を分離する。
（１）攪拌槽１の第１室１Ａに濁水を１４０トン／時間の割合で供給する。攪拌槽１の第１室１Ａに、ベントナイト濃度が５００ｐｐｍとなるように、ベントナイトを供給する。ベントナイトには、エコマックスＴＷ−２０ＷＢ（アイサン工業株式会社、静岡県浜松市参野町３７８番地）を使用する。ベントナイトは、第１室に配置された上昇管３１に第１の薬剤供給器２Ａから供給される。上昇管３１に供給されるベントナイトは、上昇管３１の内部を上昇して、濁水に強制的に攪拌される。
【００５８】
（２）攪拌槽１の第１室１Ａからオーバーフローさせて、ベントナイトの添加された濁水を攪拌槽１の第２室１Ｂに供給する。攪拌槽１の第２室１Ｂには、硫酸アルミニウムとカチオン澱粉アクリルアミド重合物の混合物の濃度が５００ｐｐｍとなるように、硫酸アルミニウムとカチオン澱粉アクリルアミド重合物の混合物を供給する。硫酸アルミニウムとカチオン澱粉アクリルアミド重合物の混合物には、エコマックスＴＷ−２０Ｗ０８（アイサン工業株式会社、静岡県浜松市参野町３７８番地）を使用する。硫酸アルミニウムとカチオン澱粉アクリルアミド重合物の混合物は、攪拌槽１の第２室１Ｂに配置された上昇管３１に第２の薬剤供給器２Ｂから供給される。上昇管３１に供給される硫酸アルミニウムとカチオン澱粉アクリルアミド重合物の混合物は、上昇管３１の内部を上昇して、濁水に強制的に攪拌される。
【００５９】
（３）攪拌槽１の第２室１Ｂからオーバーフローさせて、攪拌槽１の第３室１Ｃに濁水を流入させる。攪拌槽１の第３室１Ｃに、チオ硫酸ナトリウム濃度が１２５ｐｐｍとなるように、チオ硫酸ナトリウムを供給する。チオ硫酸ナトリウム水溶液は、チオ硫酸ナトリウムを水に溶解している２５％濃度のチオ硫酸ナトリウム水溶液を使用する。
【００６０】
（４）攪拌槽１から濁水をオーバーフローさせて、沈殿槽５に流入させる。沈殿槽５で濁成分を凝集、沈殿させる。
【００６１】
（５）沈殿槽５２で沈殿した濁成分を移送ポンプ４２で分離槽６に供給し、分離槽６で水分を分離して濁成分を分離する。
【００６２】
以上の方法で、ベントナイトとチオ硫酸ナトリウムの使用量を少なくして、各々の容積が1０トンの攪拌槽１を使用して濁水から効率よく速やかに濁成分を分離できる。
【符号の説明】
【００６３】
１…攪拌槽                    １Ａ…第１室
１Ｂ…第２室
１Ｃ…第３室
２…薬剤供給器                ２Ａ…第１の薬剤供給器
２Ｂ…第２の薬剤供給器
２Ｃ…第３の薬剤供給器
３…強制攪拌機
４…濁分離槽
５…沈殿槽
６…分離槽
１０…供給パイプ              １０Ａ…垂直管
１０Ｂ…水平管
１１…排出口
１２…供給部
１３…流量計
１５…仕切板
１６…流量計測部
１７…Ｖ溝
２１…薬液タンク
２２…薬液ポンプ
２３…流量計
２４…供給ホース
２５…粉末供給機
２６…ホッパー
２７…ロータリーフィーダー
２８…供給管
２９…ノズル
３０…エアーリフトポンプ
３１…上昇管
３２…空気ポンプ
３３…吸入口
３４…吐出口
３５…空気配管
３６…連結アーム
３７…底プレート
３８…連結アーム
４１…整流板
４２…移送ポンプ
【図１】
2010207670.tif 000003
【図２】
2010207670.tif 000004
【図３】
2010207670.tif 000005
【図４】
2010207670.tif 000006
【図５】
2010207670.tif 000007
【図６】
2010207670.tif 000008
【図７】
2010207670.tif 000009
【図８】
2010207670.tif 000010
【図９】
2010207670.tif 000011